【手続補正書】
【提出日】平成17年10月26日(2005.10.26)
【手続補正１】
【補正対象書類名】明細書
【補正対象項目名】特許請求の範囲
【補正方法】変更
【補正の内容】
【特許請求の範囲】
【請求項１】  遊技者が所定の遊技を行うことが可能な遊技機であって、
ＲＡＭを有し、遊技進行を制御するとともに、遊技に供される電気部品を制御させるためのコマンドとしてのコマンドデータを出力するコマンド出力処理と、コマンドデータ出力開始後所定期間経過後にコマンドデータの取込を指示する取込信号を出力する取込信号出力処理とを実行可能な遊技制御マイクロコンピュータと、
ＲＡＭを有し、前記遊技制御マイクロコンピュータからのコマンドに応じて前記電気部品を制御するための電気部品制御処理を実行する電気部品制御マイクロコンピュータと、
遊技機の電源断時に前記遊技制御マイクロコンピュータおよび前記電気部品制御マイクロコンピュータのＲＡＭの記憶内容を保持させるためのバックアップ電源と、
遊技機に供給される電源を監視して、電源断の発生を検出したときに検出信号を出力する電源監視手段とを備え、
前記電源監視手段は、前記検出信号を、前記遊技制御マイクロコンピュータと前記電気部品制御マイクロコンピュータとの両方に出力し、
前記遊技制御マイクロコンピュータおよび前記電気部品制御マイクロコンピュータは、前記電源監視手段からの検出信号の入力を条件に、前記ＲＡＭの記憶内容を保持させるための電力供給停止時処理を実行し、
前記電気部品制御マイクロコンピュータは、
ＲＡＭエリアとして前記遊技制御マイクロコンピュータからのコマンドデータを格納するためのコマンド格納エリアを有し、
前記取込信号としての矩形波の最初のレベル変化に応じて前記遊技制御マイクロコンピュータからのコマンドデータを入力して前記コマンド格納エリアに格納し、前記コマンド格納エリアに格納されたコマンドデータに応じて電気部品制御処理を実行し、
前記コマンド格納エリアは、複数のコマンドデータを同時期に格納しておくことが可能なエリアを有する
ことを特徴とする遊技機。
【請求項２】  電気部品制御マイクロコンピュータは、コマンドデータを格納するコマンド格納エリア内の格納アドレスを指定する格納アドレス指示手段を含み、
前記格納アドレス指示手段は、コマンドデータが前記コマンド格納エリアに格納されると格納アドレスを更新するとともに、前記コマンド格納エリアにおける最終アドレスにコマンドデータが格納されたときに格納アドレスを前記コマンド格納エリアの先頭アドレスに設定する
請求項１記載の遊技機。
【請求項３】  電気部品制御マイクロコンピュータは、コマンド格納エリア内の特定のコマンドデータを指示するコマンド指示手段を含み、コマンド指示手段によって指示されたコマンドデータを参照して電気部品制御処理を実行し、
前記コマンド指示手段は、遊技制御マイクロコンピュータから送信された順番に従って特定のコマンドデータを指示する
請求項１または請求項２記載の遊技機。
【請求項４】  遊技制御マイクロコンピュータは、
ＲＡＭエリアとしてコマンドデータを格納する送信コマンドデータ格納エリアを有し、
前記送信コマンドデータ格納エリアからコマンドデータを読み出して電気部品制御マイクロコンピュータにコマンドデータを出力し、
前記送信コマンドデータ格納エリアは、送信される複数のコマンドデータを同時期に格納しておくことが可能なエリアを有する
請求項１から請求項３のうちのいずれかに記載の遊技機。
【請求項５】  遊技制御マイクロコンピュータは、送信コマンドデータ格納エリア内の格納アドレスを指定する格納アドレス指示手段と、前記格納アドレス指示手段の指示に従ってコマンドデータを格納する処理を行うコマンド格納処理手段とを含み、
前記格納アドレス指示手段は、コマンドデータが前記送信コマンドデータ格納エリアに格納されると格納アドレスを更新するとともに、前記送信コマンドデータ格納エリアにおける最終アドレスにコマンドデータが格納されたときに格納アドレスを前記送信コマンドデータ格納エリアの先頭アドレスに設定する
請求項４記載の遊技機。
【請求項６】  遊技制御マイクロコンピュータは、送信コマンドデータ格納エリア内の特定のコマンドデータを指示する送信コマンドデータ指示手段を含み、該送信コマンドデータ指示手段によって指示されたコマンドデータを読み出して、読み出したコマンドデータを電気部品制御マイクロコンピュータに出力する
請求項４または請求項５記載の遊技機。
【請求項７】  遊技制御マイクロコンピュータは、１回の制御期間内で複数個のコマンドデータを送信することが可能である
請求項４から請求項６のうちのいずれかに記載の遊技機。
【請求項８】  遊技制御マイクロコンピュータは、１回の制御期間内で、電気部品制御処理において早めに開始されるべき処理に応じたコマンドデータを先に送信することが可能である
請求項７記載の遊技機。
【請求項９】  遊技制御マイクロコンピュータは、取込信号を出力するときに、第１所定時間のオンデータと第２所定時間のオフデータとを出力する
請求項１から請求項８のうちのいずれかに記載の遊技機。
【請求項１０】  遊技制御マイクロコンピュータは、第１所定時間が経過した後でも、少なくとも所定の出力維持期間中はコマンドデータの出力を維持する
請求項９記載の遊技機。
【手続補正２】
【補正対象書類名】明細書
【補正対象項目名】００１３
【補正方法】変更
【補正の内容】
【００１３】
【課題を解決するための手段】
本発明による遊技機は、遊技者が所定の遊技を行うことが可能な遊技機であって、ＲＡＭを有し、遊技進行を制御するとともに、遊技に供される電気部品を制御させるためのコマンドとしてのコマンドデータを出力するコマンド出力処理とコマンドデータ出力開始後所定期間経過後にコマンドデータの取込を指示する取込信号を出力する取込信号出力処理とを実行可能な遊技制御マイクロコンピュータと、ＲＡＭを有し、遊技制御マイクロコンピュータからのコマンドに応じて電気部品を制御するための電気部品制御処理を実行する電気部品制御マイクロコンピュータと、遊技機の電源断時に遊技制御マイクロコンピュータおよび電気部品制御マイクロコンピュータのＲＡＭの記憶内容を保持させるためのバックアップ電源と、遊技機に供給される電源を監視して、電源断の発生を検出したときに検出信号を出力する電源監視手段とを備え、電源監視手段は、検出信号を、遊技制御マイクロコンピュータと電気部品制御マイクロコンピュータとの両方に出力し、遊技制御マイクロコンピュータおよび電気部品制御マイクロコンピュータは、電源監視手段からの検出信号の入力を条件に、ＲＡＭの記憶内容を保持させるための電力供給停止時処理を実行し、電気部品制御マイクロコンピュータが、ＲＡＭエリアとして遊技制御マイクロコンピュータからのコマンドデータを格納するためのコマンド格納エリアを有し、取込信号としての矩形波の最初のレベル変化に応じて遊技制御マイクロコンピュータからのコマンドデータを入力してコマンド格納エリアに格納し、コマンド格納エリアに格納されたコマンドデータに応じて電気部品制御処理を実行し、コマンド格納エリアは、複数のコマンドデータを同時期に格納しておくことが可能なエリアを有することを特徴とする。
【手続補正３】
【補正対象書類名】明細書
【補正対象項目名】００１４
【補正方法】変更
【補正の内容】
【００１４】
電気部品制御マイクロコンピュータが、コマンドデータを格納するコマンド格納エリア内の格納アドレスを指定する格納アドレス指示手段を含み、格納アドレス指示手段が、コマンドデータがコマンド格納エリアに格納されると格納アドレスを更新するとともに、コマンド格納エリアにおける最終アドレスにコマンドデータが格納されたときに格納アドレスをコマンド格納エリアの先頭アドレスに設定するように構成されていてもよい。
【手続補正４】
【補正対象書類名】明細書
【補正対象項目名】００１５
【補正方法】変更
【補正の内容】
【００１５】
電気部品制御マイクロコンピュータが、コマンド格納エリア内の特定のコマンドデータを指示するコマンド指示手段を含み、コマンド指示手段によって指示されたコマンドデータを参照して電気部品制御処理を実行し、コマンド指示手段が、遊技制御マイクロコンピュータから送信された順番に従って特定のコマンドデータを指示するように構成されていてもよい。
【手続補正５】
【補正対象書類名】明細書
【補正対象項目名】００１６
【補正方法】変更
【補正の内容】
【００１６】
遊技制御マイクロコンピュータが、ＲＡＭエリアとしてコマンドデータを格納する送信コマンドデータ格納エリアを有し、送信コマンドデータ格納エリアからコマンドデータを読み出して電気部品制御マイクロコンピュータにコマンドデータを出力し、送信コマンドデータ格納エリアは、送信される複数のコマンドデータを同時期に格納しておくことが可能なエリアを有するように構成されていてもよい。
【手続補正６】
【補正対象書類名】明細書
【補正対象項目名】００１７
【補正方法】変更
【補正の内容】
【００１７】
遊技制御マイクロコンピュータが、送信コマンドデータ格納エリア内の格納アドレスを指定する格納アドレス指示手段と、格納アドレス指示手段の指示に従ってコマンドデータを格納する処理を行うコマンド格納処理手段とを含み、格納アドレス指示手段が、コマンドデータが送信コマンドデータ格納エリアに格納されると格納アドレスを更新するとともに、送信コマンドデータ格納エリアにおける最終アドレスにコマンドデータが格納されたときに格納アドレスを送信コマンドデータ格納エリアの先頭アドレスに設定するように構成されていてもよい。
【手続補正７】
【補正対象書類名】明細書
【補正対象項目名】００１８
【補正方法】変更
【補正の内容】
【００１８】
遊技制御マイクロコンピュータが、送信コマンドデータ格納エリア内の特定のコマンドデータを指示する送信コマンドデータ指示手段を含み、送信コマンドデータ指示手段によって指示されたコマンドデータを読み出して、読み出したコマンドデータを電気部品制御マイクロコンピュータに出力するように構成されていてもよい。
【手続補正８】
【補正対象書類名】明細書
【補正対象項目名】００１９
【補正方法】変更
【補正の内容】
【００１９】
遊技制御マイクロコンピュータが、１回の制御期間内で複数個のコマンドデータを送信することが可能であるように構成されていてもよい。
【手続補正９】
【補正対象書類名】明細書
【補正対象項目名】００２０
【補正方法】変更
【補正の内容】
【００２０】
遊技制御マイクロコンピュータが、１回の制御期間内で、電気部品制御処理において早めに開始されるべき処理に応じたコマンドデータを先に送信することが可能であるように構成されていてもよい。なお、早めに開始されるべき処理に応じたコマンドデータとは、電気部品の動作停止／再開を指令する信号のように、その信号にもとづく処理が早めに開始されることが好ましい信号等をいう。
【手続補正１０】
【補正対象書類名】明細書
【補正対象項目名】００２１
【補正方法】変更
【補正の内容】
【００２１】
遊技制御マイクロコンピュータが、取込信号を出力するときに、第１所定時間のオンデータと第２所定時間のオフデータとを出力するように構成されていてもよい。
【手続補正１１】
【補正対象書類名】明細書
【補正対象項目名】００２２
【補正方法】変更
【補正の内容】
【００２２】
遊技制御マイクロコンピュータが、第１所定時間が経過した後でも、少なくとも所定の出力維持期間中はコマンドデータの出力を維持するように構成されていてもよい。
【手続補正１２】
【補正対象書類名】明細書
【補正対象項目名】０３１２
【補正方法】変更
【補正の内容】
【０３１２】
【発明の効果】
請求項１記載の発明では、遊技機を、電気部品制御マイクロコンピュータが、取込信号としての矩形波の最初のレベル変化に応じて遊技制御マイクロコンピュータからのコマンドデータを入力してコマンド格納エリアに格納し、コマンド格納エリアに格納されたコマンドデータに応じて電気部品制御処理を実行し、コマンド格納エリアは、複数のコマンドデータを同時期に格納しておくことが可能なエリアを有するように構成したので、コマンド格納エリアからのコマンド読出処理が遅れても、新たに受信されたコマンドデータによってコマンド格納エリアが上書きされることはなく、受信したコマンドデータが消失してしまうことはなく、また、電気部品制御マイクロコンピュータの側で、矩形波の最初のレベル変化に応じて早めにコマンドデータを取り込むことができるという効果がある。
【手続補正１３】
【補正対象書類名】明細書
【補正対象項目名】０３１３
【補正方法】変更
【補正の内容】
【０３１３】
請求項２記載の発明では、電気部品制御マイクロコンピュータが、コマンドデータを格納するコマンド格納エリア内の格納アドレスを指定する格納アドレス指示手段を含み、格納アドレス指示手段が、コマンドデータがコマンド格納エリアに格納されると格納アドレスを更新するとともに、コマンド格納エリアにおける最終アドレスにコマンドデータが格納されたときに格納アドレスをコマンド格納エリアの先頭アドレスに設定するように構成されているので、格納アドレス指示手段が格納アドレスをポインタで指定することができ、コマンド受信処理を簡便に実現することができる。また、コマンド格納エリアをリングバッファで実現でき、コマンド受信のための領域を最小限の容量で実現できる。
【手続補正１４】
【補正対象書類名】明細書
【補正対象項目名】０３１４
【補正方法】変更
【補正の内容】
【０３１４】
請求項３記載の発明では、電気部品制御マイクロコンピュータがコマンド格納エリア内の特定のコマンドデータを指示するコマンド指示手段を含み、コマンド指示手段によって指示されたコマンドデータを参照して電気部品制御処理を実行し、コマンド指示手段が、遊技制御マイクロコンピュータから送信された順番に従って特定のコマンドデータを指示するように構成されているので、電気部品制御マイクロコンピュータは、受信したコマンドを容易に特定することができ、容易に所定の処理を開始することができる。
【手続補正１５】
【補正対象書類名】明細書
【補正対象項目名】０３１５
【補正方法】変更
【補正の内容】
【０３１５】
請求項４記載の発明では、遊技制御マイクロコンピュータが、送信コマンドデータ格納エリアからコマンドデータを読み出して電気部品制御マイクロコンピュータにコマンドデータを出力し、送信コマンドデータ格納エリアは、送信される複数のコマンドデータを同時期に格納しておくことが可能なエリアを有するように構成されているので、遊技制御マイクロコンピュータの電気部品制御マイクロコンピュータに対するコマンド送出制御負担を軽減できるとともに、遊技制御マイクロコンピュータのコマンド送出処理が遅れても、電気部品制御マイクロコンピュータに対して確実にコマンドを送出することができるという効果がある。
【手続補正１６】
【補正対象書類名】明細書
【補正対象項目名】０３１６
【補正方法】変更
【補正の内容】
【０３１６】
請求項５記載の発明では、遊技制御マイクロコンピュータにおける格納アドレス指示手段が、コマンドデータが送信コマンドデータ格納エリアに格納されると格納アドレスを更新するとともに、送信コマンドデータ格納エリアにおける最終アドレスにコマンドデータが格納されたときに格納アドレスを送信コマンドデータ格納エリアの先頭アドレスに設定するように構成されているので、コマンド格納エリアからのコマンド読出処理が遅れても、新たに発生した送出すべきコマンドデータによって送信コマンドデータ格納エリアが上書きされることはなく、遊技制御マイクロコンピュータのコマンドデータが消失してしまうことはない。
【手続補正１７】
【補正対象書類名】明細書
【補正対象項目名】０３１７
【補正方法】変更
【補正の内容】
【０３１７】
請求項６記載の発明では、遊技制御マイクロコンピュータが、送信コマンドデータ格納エリア内の特定のコマンドデータを指示する送信コマンドデータ指示手段を含み、送信コマンドデータ指示手段によって指示されたコマンドデータを読み出して、読み出したコマンドデータを電気部品制御マイクロコンピュータに出力するように構成されているので、遊技制御マイクロコンピュータは、送信すべきコマンドデータを容易に特定することができる。
【手続補正１８】
【補正対象書類名】明細書
【補正対象項目名】０３１８
【補正方法】変更
【補正の内容】
【０３１８】
請求項７記載の発明では、遊技制御マイクロコンピュータが、１回の制御期間内で複数個のコマンドデータを送信することが可能であるように構成されているので、コマンドデータを迅速に送受信することができる。
【手続補正１９】
【補正対象書類名】明細書
【補正対象項目名】０３１９
【補正方法】変更
【補正の内容】
【０３１９】
請求項８記載の発明では、遊技制御マイクロコンピュータが、１回の制御期間内で、電気部品制御処理において早めに開始されるべき処理に応じたコマンドデータを先に送信することが可能であるように構成されているので、重要なコマンドデータを優先して迅速に送信することができる。
【手続補正２０】
【補正対象書類名】明細書
【補正対象項目名】０３２０
【補正方法】変更
【補正の内容】
【０３２０】
請求項９記載の発明では、遊技制御マイクロコンピュータが、取込信号を出力するときに、第１所定時間のオンデータと第２所定時間のオフデータとを出力するように構成されているので、コマンドデータを連続的に送信する場合でも、受信側においてそれらを容易に識別することができる。
【手続補正２１】
【補正対象書類名】明細書
【補正対象項目名】０３２１
【補正方法】変更
【補正の内容】
【０３２１】
請求項１０記載の発明では、遊技制御マイクロコンピュータが、第１所定時間が経過した後でも、少なくとも所定の出力維持期間中はコマンドデータの出力を維持するように構成されているので、ノイズの影響を受けにくくする等の効果がある。